【事件の表示】
　特許第２７１６５５２号「プリンタ接続方法」の特許に対する特許異議の申立てについて、次のとおり決定する。
【結論】
　特許第２７１６５５２号の特許を取り消す。
【理由】
Ｉ．手続きの経緯
特許出願
　平成１年１２月１日
特許権の設定の登録
　平成９年１１月７日
特許異議の申立て
　平成１０年８月１８日
取消理由通知
　平成１０年１１月２４日
訂正の請求及び意見書提出
　平成１１年２月１２日
訂正拒絶理由通知
　平成１１年４月２０日
手続補正及び意見書提出
　平成１１年７月９日
ＩＩ．訂正の請求について
１．訂正請求書の補正
　平成１１年７月９日付け手続補正は、訂正請求書の「（２）訂正の内容▲１▼」において訂正した明細書の特許請求の範囲の記載中の
「上記命令識別回路は、上記送受信回路を通して受信した印字モード変更命令に基づいて上記記憶部に変更すべき印字モードデータを書き込むことによりホストコンピュータとプリンタとを適合させ」を
「上記命令識別回路は、上記送受信回路を通して受信した印字モード変更命令に基づいて上記記憶部に変更すべき印字モードデータを書き込むことにより初期設定を終了してホストコンピュータとプリンタとを適合させ」と補正することを含むものである。
　そして、上記補正事項に関連して、特許明細書には、「以上の処理が終了すると、ホストコンピュータ１から初期設定終了命令が送信され、送受信回路３、バス切換回路１３に伝えられ、命令識別回路１４で解読される。最後にバス切換回路側に切り換えられて印字動作に入る。」（第８頁第１９行−第９頁第４行）と記載されている。
　しかし、「上記命令識別回路」が、「上記送受信回路を通して受信した印字モード変更命令に基づいて上記記憶部に変更すべき印字モードデータを書き込むことにより初期設定を終了」する点は、記載されておらず、しかも、特許明細書又は図面の記載から自明な事項とも認められないから、上記訂正は、上記手続補正により、特許明細書又は図面の範囲外においてしたものとなる。
　したがって、平成１１年１０月１９日付け手続補正は、訂正請求書の要旨を変更するものであり、特許法第１２０条の４第３項において準用する同法第１３１条第２項の規定を満たさないので、採用できない。
２．訂正の内容
　特許権者が求めている訂正は、次のとおりである。
（１）特許請求の範囲の訂正
　明細書の特許請求の範囲の記載を、
「【請求項１】印字動作全体を制御する制御回路と、
　ホストコンピュータと命令およびデータの送受信を行う送受信回路と、
　装置固有データおよび印字モードデータを格納した記憶部と、
　ホストコンピュータから送信された命令を上記送受信回路を通して受信し，該命令を判別する命令識別回路と、
　上記制御回路と命令識別回路のいずれかを上記送受信回路と接続するための切換回路とを備えたプリンタのプリンタ接続方法であって、
　プリンタに電源が投入されることによりシステム全体がリセットされ．該リセットに基づいて上記切換回路により上記送受信回路と命令識別回路が接続され、
　上記命令識別回路は、ホストコンピュータから送信された装置固有データ読出命令および印字モードデータ読出命令を上記送受信回路を通して受信し、その各々の命令に対応して上記記憶部から装置固有データおよび印字モードデータを読み出して上記送受信回路を通してホストコンピュータに送信し、
　ホストコンピュータは、受信した装置固有データによりプリンタの種類を判別して適合するプリンタ・デバイスドライバを組み込み、さらに、受信した印字モードデータに従い印字モードの変更の有無を判断し、その判断に基づいて印字モード変更命令をプリンタに送信し、
　上記命令識別回路は、上記送受信回路を通して受信した印字モード変更命令に基づいて上記記憶部に変更すべき印字モードデータを書き込むことによりホストコンピュータとプリンタとを適合させて接続することを特徴とするプリンタ接続方法。」と訂正する。
（２）発明の詳細な説明の訂正
（ア）明細書の第４頁第１５行目〜第５頁４行目を次の通り訂正する。
「〔課題を解決する為の手段〕
　本発明は、印字動作全体を制御する制御回路と、ホストコンピュータと命令およびデータの送受信を行う送受信回路と、装置固有データおよび印字モードデータを格納した記憶部と、ホストコンピュータから送信された命令を上記送受信回路を通して受信してその命令を判別する命令識別回路と、上記制御回路と命令識別回路のいずれかを上記送受信回路と接続するための切換回路とを備えたプリンタのプリンタ接続方法であって、プリンタに電源が投入されることによりシステム全体がリセットされリセットに基づいて上記切換回路により上記送受信回路と命令識別回路が接続され、上記命令識別回路は、ホストコンピュータから送信された装置固有データ読出命令および印字モードデータ読出命令を上記送受信回路を通して受信し、その各々の命令に対応して上記記憶部から装置固有データおよび印字モードデータを読み出して上記送受信回路を通してホストコンピュータに送信し、ホストコンピュータは、受信した装置固有データによりプリンタの種類を判別して適合するプリンタ・デバイスドライバを組み込み、さらに、受信した印字モードデータに従い印字モードの変更の有無を判断し、その判断に基づいて印字モード変更命令をプリンタに送信し、上記命令識別回路は、上記送受信回路を通して受信した印字モード変更命令に基づいて上記記憶部に変更すべき印字モードデータを書き込むことによりホストコンピュータとプリンタとを適合させて接続することを特徴とする。」
（イ）明細書の第９頁第５行目〜第１０頁第２行目を次の通り訂正する。
「〔発明の効果〕
　以上詳細に説明した本発明によると、ホストコンピュータと接続するプリンタのインターフェース部に、ホストコンピュータと命令およびデータの送受信を行う送受信回路と、装置固有データおよび印字モードデータを格納した記憶部と、ホストコンピュータから送信された命令を上記送受信回路を通して受信してその命令を判別する命令識別回路と、上記制御回路と命令識別回路のいずれかを上記送受信回路と接続するための切換回路とを備える。そして、プリンタに電源が投入されることによりシステム全体がリセットされリセットに基づいて上記切換回路により上記送受信回路と命令識別回路が接続され、上記命令識別回路は、ホストコンピュータから送信された装置固有データ読出命令および印字モードデータ読出命令を上記送受信回路を通して受信し、その各々の命令に対応して上記記憶部から装置固有データおよび印字モードデータを読み出して上記送受信回路を通してホストコンピュータに送信し、ホストコンピュータは、受信した装置固有データによりプリンタの種類を判別して適合するプリンタ・デバイスドライバを組み込み、さらに、受信した印字モードデータに従い印字モードの変更の有無を判断し、その判断に基づいて印字モード変更命令をプリンタに送信し、上記命令識別回路は、上記送受信回路を通して受信した印字モード変更命令に基づいて上記記憶部に変更すべき印字モードデータを書き込むことによりホストコンピュータとプリンタとを適合させることができる。
　従って、ホストコンピュータはプリンタの装置固有データおよび印字モードデータを参照し、印字モードデータの設定をホストコンピュータ側から行うことができてプリンタの初期設定を自動化することができる。これによって意図した印字と異なるものが出力されてしまうことがなくなり，また、システム全体がハングアップするという事故を防ぐことができる。
　更に、プリンタの電源投入によるリセットに基づいてホストコンピュータとプリンタとの適合及び印字モードの整合が図られるので操作者にとっては面倒な操作等を一切不要となり、使い勝手の良いシステムを実現することができる。」
３．訂正の目的の適否、新規事項の有無及び拡張・変更の存否
　上記訂正（１）は、明細書第６頁第１７行−第７頁第１０行、及び第８頁１９行−第９頁４行の記載に基づくものであって、特許請求の範囲の減縮及び明りょうでない記載の釈明に該当し、明細書又は図面に記載した事項の範囲内のものであり、また実質的に特許請求の範囲を拡張又は変更するものでもない。
　また、上記訂正（２）は、特許請求の範囲の記載と発明の詳細な説明の記載との整合を図るためのものであって、特許明細書又は図面に記載した事項の範囲内のものであり、また実質的に特許請求の範囲を拡張又は変更するものでもない。
４．独立特許要件の判断
（１）刊行物の記載事項
　当審が訂正拒絶理由通知において引用した刊行物１である特開昭６２一４０５２２号公報は、
「接続されるプリンタの特定をプロセッサに認識させることのできるプリンタ」に関する発明が記載されたもので、その第３頁左上欄第１行−右上欄第７行には、
「本発明の実施例によれば、プロセッサ２にプリンタ１を接続したとき又はプリンタ１の電源をオンにしたとき、第２図及び第３図に示すようにプロセッサ２はその指令プログラム記憶手段９からプリンタ特性読出しプログラムを呼出して、実行し該プロセッサのモード設定手段１０をプリンタ特性認識モードに設定するとともに、プリンタ特性読み出し令信号をプリンタ１へのデータ信号線５で１６進数コード信号として送出する。このコード信号はインターフェイス３を介してプリンタ１の解読手段７に送られ、プリンタ特性読出し指令（コマンド）として解読される。そしてプリンタ１がそのモード設定手段８でプリンタ特性データ伝送モードに設定され、承認（ＡＣＫ）信号を状況信号線４で送り返す。これを受取ったプロセッサ２は、上記プリンタ特性読出しプログラムに従い、スタート指令をプリンタ１に送出し、これに対するＡＣＫ信号を受取るのに応じて、質問１、質問２……、質問Ｎの指令信号を順次送出する。
　質問は一問一答を反復しても良いし、全ての質問後に全ての応答をしても良い。
　プリンタ１は、モード設定手段８がプリンタ特性データ伝送モードなっているので、状況信号線４で状況信号を送出する代りに、プリンタ特性記憶手段６に予め記憶してあるそのプリンタの特性データを状況信号線４を用いてプロセッサ２に送出する。」と、記載され、
第３頁右上欄第１２行−左下欄第６行には、
「プロセッサ２は状況信号線４で送られて来る信号を、モード設定手段１０でプリンタ特性認識モードに設定され解読規約の切換えられた解読手段１１で解読する。解読手段１１はプロセッサからの各質問指令コードをアドレスとして解読規約が読出されるようなテーブルを有していても良い。解読結果は、プリンタ特性記憶レジスタ１２に記憶しておく。この記憶内容と内蔵しているプリンタ制御プログラムとを用いてその後、プロセッサ２の演算手段１４がプリンタ１を印刷制御する。尚、プロセッサ２は最初にプリンタ特性読出しプログラムのみを内蔵しておき、これによって読出し記憶したプリンタ特性に応じて外部メモリ中のプリンタ制御プログラムをプロセッサ２に初めて読込み、印刷制御に使用しても良い。」と、記載され、
第３頁右下欄第１３行−第４頁左上欄第６行には、
「プリンタに質問する内容としては、プリンタの機種、機能、能力がある。
　機種を質問された場合の応答は、例えば、ＩＢＭ５５５３プリンタなら、上記４本の状況信号線で５、５、５、３と４回に分けてデータを送れば良い。
　機能としては、プリンタで使用できる制御コードの種類であったり、両方向印刷機能であったり、印刷可能な色の数であったり、ＪＩＳ規格１又は２の漢字を打てるか、或いは他のフオントの文字を打てるかといった内容である。
　また能力としては、文字枠の縦横の寸法とか、印刷できる紙の大きさ、解像度、ドット間隔等である。」と、記載されている。
　これらの記載及び図面の記載を総合的に判断すると、上記刊行物１には、
《プロセッサ２と送受信を行うインタフェース３と、
　プリンタ特性（機種、機能又は能力）を記憶したプリンタ特性記憶手段６と、
プロセッサ２からのプリンタ特性読出し指令信号及び質問信号を解読する解読手段７と、
　解読手段７の解読に応じて、状況信号線４で状況信号の代りにプリンタ特性データを伝送するように状況信号線４をプリンタ特性伝送モードに設定するモード設定手段８と
を備えたプリンタ１とプロセッサ２とを接続するプリンタ接続方法であって、
　プリンタ１の電源をオンにしたとき、
　プロセッサ２は、プリンタ特性読出し指令信号をプリンタ１に送出し、
　解読手段７は、該プリンタ特性読出し指令信号を解読すると、モード設定手段８をプリンタ特性伝送モードに設定し、続いて送られるプロセッサ２からの質問の指令信号を解読すると、機種、機能又は能力等のプリンタ特性をプリンタ特性記憶手段６から読み出してプロセッサ２に送出し、
　プロセッサ２は、受信したプリンタ特性に応じて外部メモリ中のプリンタ制御プログラムを読み込む
プリンタ接続方法。》（以下引用発明という。）が記載されている。
　また、当審が訂正拒絶理由通知において引用した刊行物２である特開昭６２一２４９２２４号公報は、「インテリジェント方式のプリンタ制御装置」に関する発明が記載されたもので、その第２頁左上欄第１８行−右上欄第１９行には、
「プリンタは多数の印字モードを備えているため、プリンタ現在の印字モードをホストコンピュータ側で覚えておく必要があった。〜しかしながら、ホストコンピュータで使用しているソフトウェアが変わってしまった時は、ホストコンピュータが側で印字モードを覚えておくことができないという欠点があった。
　そのため、ホストコンピュータ側では、〜ソフトウェアでプリンタ制御装置に対して、次々と電源投入時と同じ標準印字モード（初期状態）に設定し直すか、あるいはプリンタ制御装置の電源を再投入して、プリンタを初期状態にする必要があった。
　本発明の目的は、プリンタ制御装置側より必要な印字モード制御情報をホストコンピュータへ送出できるプリンタ制御装置を提供することにある。」と、記載され、
第２頁右下欄第２行−第３頁右上欄第４行には、「この実施例のプリンタ制御装置は、ホストコンピューター２０から入力データパス１を介して入力されるプリンタを制御するための印字モード制御情報ｄ１とプリンタヘ印字するための印字データｄ２とを第１の制御信号ｃ１によって一時保持し．第２６の制御信号ｃ２によって一時保有してある前記印字モード制御情報ｄ１を前記ホストコンピュータへ出力データパス１１を介して出力するラッチ回路３と、〜を備えている。」と、記載されている。
　これらの記載及び図面の記載を総合的に判断すると、上記刊行物２には、
《期待通りの印字結果を得るためにはプリンタの現在の印字モードをホストコンピュータ側で覚えておく必要があり、その目的のため、コンピュータによってプリンタ制御装置の記憶手段に記憶されている印字モードデータを読み出し／書き込み可能としたプリンタ制御装置。》
が記載されている。
（２）対比・判断
　訂正明細書の請求項１に係る発明（以下、訂正発明という。）と上記引用発明とを対比すると、引用発明のプリンタ１も、当然印字動作全体を制御する制御回路を当然有しており、
引用発明のプロセッサ２は、ホストプロセッサを構成するものであり、
引用発明のインターフェース３も、コンピュータと命令及びデータの送受信を行っており、
引用発明のプリンタの機種データは、装置固有データであり、
引用発明のプリンタ制御プログラムには、当然プリンタ・デバイスドライバが含まれるから、
両者は、
《印字動作全体を制御する制御回路と、
　ホストコンピュータと命令およびデータの送受信を行う送受信回路と、
　装置固有データを格納した記憶部と、
　ホストコンピュータから送信された命令を判別する命令識別回路とを備えたプリンタとホストコンピュータとを接続するプリンタ接続方法であって、
　プリンタに電源が投入されると、
　命令識別回路は、ホストコンピュータから送信された装置固有データ読出命令を受信し、その命令に対応して上記記憶部から装置固有データを読み出して上記送受信回路を通してホストコンピュータに送信し、
　ホストコンピュータは、受信した装置固有データによりプリンタの種類を判別して適合するプリンタ・デバイスドライバを組み込むことによりホストコンピュータとプリンタとを適合させて接続することを特徴とするプリンタ接続方法。》
である点で一致し、
次のａ〜ｃの点で相違する。
ａ．訂正発明は、プリンタに電源が投入されることによりプリンタ全体（訂正明細書には「システム全体」と記載されているが、技術常識を考慮して「プリンタ全体」と認定した。）がリセットされ、該リセットに基づいてプリンタ接続動作が開始するのに対して、引用発明は、プリンタの電源投入後どのような手順でプリンタ接続動作が開始するのか特定していない点
ｂ．訂正発明は、プリンタが「制御回路と命令識別回路のいずれかを送受信回路と接続するための切換回路」を備え、「上記切換回路により上記送受信回路と命令識別回路が接続される」ものであるのに対し、引用発明は、そのような回路の有無を含めて制御回路と送受信回路との関係を特定していない点
ｃ．訂正発明は、記憶部に「印字モードデータ」を格納しており、「電源投入後、命令識別回路が、ホストコンピュータからの印字モード読出命令を受けて記憶部から印字モードデータを読み出して送受信回路を通してホストコンピュータに送信し、ホストコンピュータが、受信した印字モードデータに従い印字モードの変更の有無を判断し、その判断に基づいて印字モード変更命令をプリンタに送信し、命令識別回路が、送受信回路を通して受信した印字モード変更命令に基づいて記憶部に変更すべき印字モードデータを書き込む」ものであるのに対し、引用発明は、記憶部に「印字モードデータ」を格納しておらず、したがって電源投入時に「印字モードデータ」に関する処理を行うものではない点
　次に、相違点ａ〜ｃについて検討する。
相違点ａについて
　情報処理機器に電源を投入したときにリセットすることは文献をあげるまでもなく慣用技術であるから、電源投入を契機として何らかの動作をさせるためにリセット信号を用いることは、当業者が容易になしえることである。
相違点ｂについて
　引用発明も、印字制御時にはインターフェース３を介して入力される印字信号が制御部に送られるから、切換回路が有する機能と同様の機能を有する手段を当然有しているものであり、そのような手段をどのように実現するかは、他の要素の具体的構成等に応じて適宜選択できる設計事項である。
相違点ｃについて
　引用発明は、プリンタの機種データの読み出しに続いて、装置固有データ以外に、使用コード、フォント、紙の大きさ、ドット間隔等の印字の仕方に関連する情報を読み出して、ホストコンピュータとプリンタとを適合させており、また、期待通りの印字結果を得るためにはプリンタの現在の印字モードをホストコンピュータ側で覚えておく必要があって、そのためにホストコンピュータがプリンタ制御装置の記憶手段に記憶されている印字モードデータを読み出し／書き込み可能とする点は、刊行物２に記載されており、その際に、読み出した印字モードデータが不適切であれば変更命令を出して変更するのは当然のことであるから、相違点ｃは、刊行物１、２に記載された事項に基づいて当業者が容易になしえる程度の相違点であると認められる。
　以上のとおり、相違点ａ〜ｃは、いずれも当業者が容易になしえる程度のものであり、しかも、相違点ａ〜ｃによって格別の効果を奏するものとも認められないから、訂正明細書の請求項１に係る発明は、刊行物１、２に記載された発明及び当該分野における周知技術に基づいて当業者が容易に発明をすることができたものであって、特許法第２９条２項の規定により特許出願の際独立して特許を受けることができないものである。
５．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する同法第１２６条第４項の規定に適合しない。
　よって、上記訂正を認めない。
ＩＩＩ．特許異議の申立てについて
１．本件発明
　本件特許第２７１６５５２号の請求項１に係る発明（以下、本件発明という。）は、次の事項により特定されるとおりのものである。
《印字動作全体を制御する制御回路と、
　ホストコンピュータと命令およびデータの送受信を行う送受信回路と、
　装置固有データおよび印字モードデータを格納した記憶部と、
　ホストコンピュータから送信された命令を判別する命令識別回路と、
　上記制御回路と命令識別回路のいずれかを上記送受信回路と接続するための切換回路とを備えたプリンタとホストコンピュータとを接続するプリンタ接続方法であって、
　プリンタに電源が投入されると上記切換回路により上記送受信回路と命令識別回路が接続され、
　上記命令識別回路は、ホストコンピュータから送信された装置固有データ読出命令および印字モードデータ読出命令を受信し、その各々の命令に対応して上記記憶部から装置固有データおよび印字モードデータを読み出して上記送受信回路を通してホストコンピュータに送信し、
　ホストコンピュータは、受信した装置固有データによりプリンタの種類を判別して適合するプリンタ・デバイスドライバを組み込み、さらに、受信した印字モードデータに従い印字モードの変更の有無を判断し、その判断に基づいて印字モード変更命令をプリンタに送信し、
　上記命令識別回路は、上記送受信回路を通して受信した印字モード変更命令に基づいて上記記憶部に変更すべき印字モードデータを書き込むことによりホストコンピュータとプリンタとを適合させて接続することを特徴とするプリンタ接続方法。》
（なお、設定登録時の明細書の特許請求の範囲の請求項１には、
「上記制御回路と命令識別回路のいずれかを上記送受信回路と接続するための切換回路とを備えたプリンタであって、」と、記載されているが、本件発明は、プリンタ接続方法に関する発明であるので、上記のように認定した。）
２．特許法第２９条第２項違反について
　当審が平成１０年１１月２４日付の取消理由通知において引用した刊行物１及び刊行物２である、特開昭６２一４０５２２号公報及び特開昭６２一２４９２２４号公報（訂正拒絶理由通知において引用した刊行物１及び刊行物２）には、上記ＩＩ．４．（１）で記載したように、それぞれ次のとおりの発明が記載されている。
・刊行物１に記載された発明
《プロセッサ２と送受信を行うインタフェース３と、
　プリンタ特性（機種、機能又は能力）を記憶したプリンタ特性記憶手段６と、
プロセッサ２からのプリンタ特性読出し指令信号及び質問信号を解読する解読手段７と、
　解読手段７の解読に応じて、状況信号線４で状況信号の代りにプリンタ特性データを伝送するように状況信号線４をプリンタ特性伝送モードに設定するモード設定手段８と
を備えたプリンタ１とプロセッサ２とを接続するプリンタ接続方法であって、
　プリンタ１の電源をオンにしたとき、
　プロセッサ２は、プリンタ特性読出し指令信号をプリンタ１に送出し、
　解読手段７は、該プリンタ特性読出し指令信号を解読すると、モード設定手段８をプリンタ特性伝送モードに設定し、続いて送られるプロセッサ２からの質問の指令信号を解読すると、機種、機能又は能力等のプリンタ特性をプリンタ特性記憶手段６から読み出してプロセッサ２に送出し、
　プロセッサ２は、受信したプリンタ特性に応じて外部メモリ中のプリンタ制御プログラムを読み込む
プリンタ接続方法。》（以下引用発明という。）
・刊行物２に記載された発明
《期待通りの印字結果を得るためにはプリンタの現在の印字モードをホストコンピュータ側で覚えておく必要があり、その目的のため、コンピュータによってプリンタ制御装置の記憶手段に記憶されている印字モードデータを読み出し／書き込み可能としたプリンタ制御装置。》
　本件発明と上記引用発明とを対比すると、
引用発明のプリンタ１も、当然印字動作全体を制御する制御回路を当然有しており、
引用発明のプロセッサ２は、ホストプロセッサを構成するものであり、
引用発明のインターフェース３も、コンピュータと命令及びデータの送受信を行っており、
引用発明のプリンタの機種データは、装置固有データであり、
引用発明のプリンタ制御プログラムには、当然プリンタ・デバイスドライバが含まれるから、
両者は、
《印字動作全体を制御する制御回路と、
　ホストコンピュータと命令およびデータの送受信を行う送受信回路と、
　装置固有データを格納した記憶部と、
　ホストコンピュータから送信された命令を判別する命令識別回路とを備えたプリンタとホストコンピュータとを接続するプリンタ接続方法であって、
　プリンタに電源が投入されると、
　命令識別回路は、ホストコンピュータから送信された装置固有データ読出命令を受信し、その命令に対応して上記記憶部から装置固有データを読み出して上記送受信回路を通してホストコンピュータに送信し、
　ホストコンピュータは、受信した装置固有データによりプリンタの種類を判別して適合するプリンタ・デバイスドライバを組み込むことによりホストコンピュータとプリンタとを適合させて接続することを特徴とするプリンタ接続方法。》
である点で一致し、
次のａ及びｂの点で相違する。
ａ．本件発明は、プリンタが「制御回路と命令識別回路のいずれかを送受信回路と接続するための切換回路」を備え、「上記切換回路により上記送受信回路と命令識別回路が接続される」ものであるのに対し、引用発明は、そのような回路の有無を含めて制御回路と送受信回路との関係を特定していない点
ｂ．訂正発明は、記憶部に「印字モードデータ」を格納しており、「電源投入後、命令識別回路が、ホストコンピュータからの印字モード読出命令を受けて記憶部から印字モードデータを読み出して送受信回路を通してホストコンピュータに送信し、ホストコンピュータが、受信した印字モードデータに従い印字モードの変更の有無を判断し、その判断に基づいて印字モード変更命令をプリンタに送信し、命令識別回路が、送受信回路を通して受信した印字モード変更命令に基づいて記憶部に変更すべき印字モードデ一タを書き込む」ものであるのに対し、引用発明は、記憶部に「印字モードデータ」を格納しておらず、したがって電源投入時に「印字モードデータ」に関する処理を行うものではない点
　次に、相違点ａ及びｂについて検討する。
相違点ａについて
　引用発明も、印字制御時にはインターフェース３を介して入力される印字信号が制御部に送られるから、切換回路が有する機能と同様の機能を有する手段を当然有しているものであり、そのような手段をどのように実現するかは、他の要素の具体的構成等に応じて適宜選択できる設計事項である。
相違点ｂについて
　引用発明は、プリンタの機種データの読み出しに続いて、装置固有データ以外に、使用コード、フォント、紙の大きさ、ドット間隔等の印字の仕方に関連する情報を読み出して、ホストコンピュータとプリンタとを適合させており、また、期待通りの印字結果を得るためにはプリンタの現在の印字モードをホストコンピュータ側で覚えておく必要があって、そのためにホストコンピュータがプリンタ制御装置の記憶手段に記憶されている印字モードデータを読み出し／書き込み可能とする点は、刊行物２に記載されており、その際に、読み出した印字モードデータが不適切であれば変更命令を出して変更するのは当然のことであるから、相違点ｂは、刊行物１、２に記載された事項に基づいて当業者が容易になしえる程度の相違点であると認められる。
　以上のとおり、相違点ａ及びｂは、いずれも当業者が容易になしえる程度のものであり、しかも、相違点ａ及びｂによって格別の効果を奏するものとも認められないから、本件発明は、刊行物１、２に記載された発明に基づいて当業者が容易に発明をすることができたものであって、特許法第２９条２項の規定により特許を受けることができないものである。
　したがって、本件の請求項１に係る特許は、拒絶の査定をしなければならない特許出願に対してされたものである。
３．むすび
　以上のとおりであるから、本件の請求項１に係る特許は、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、取り消すべきものである。
　よって、結論のとおり決定する。
【異議決定日】
平成１１年１１月２２日（１９９９．１１．２２）